(57)【特許請求の範囲】
【請求項１】
けん化度が８５ｍｏｌ％以上１００ｍｏｌ％未満のポリビニルアルコール樹脂（ａ１）、変性ポリビニルアルコール樹脂（ａ２）、及び、アクリル樹脂、の１種単独又は２種以上を含む分散樹脂（Ａ）、
導電カーボン（Ｂ）、及び
アミド系溶剤及びアルコール系溶剤の１種単独又は２種以上を含む溶媒（Ｃ）、
を含有する導電ペーストの製造方法であって、分散樹脂（Ａ）を５０℃以上に加温した溶媒（Ｃ）に溶解することを特徴とする導電ペーストの製造方法。
【請求項２】
加温した溶媒（Ｃ）の温度が、５０℃以上、かつ２００℃未満であることを特徴とする、請求項１に記載の導電ペーストの製造方法。
【請求項３】
分散樹脂（Ａ）が、けん化度が８５ｍｏｌ％以上１００ｍｏｌ％未満のポリビニルアルコール樹脂（ａ１）及び／又は変性ポリビニルアルコール樹脂（ａ２）を含有する請求項１又は２に記載の導電ペーストの製造方法。
【請求項４】
変性ポリビニルアルコール樹脂（ａ２）のけん化度が８５ｍｏｌ％以上１００ｍｏｌ％未満であることを特徴とする、請求項３に記載の導電ペーストの製造方法。
【請求項５】
分散樹脂（Ａ）を加温した溶媒（Ｃ）に溶解するときの分散樹脂（Ａ）の含有量が、分散樹脂（Ａ）及び溶媒（Ｃ）の合計量を基準として、固形分で０．０１〜１０質量％であることを特徴とする、請求項１〜４のいずれか一項に記載の導電ペーストの製造方法。
【請求項６】
分散樹脂（Ａ）の含有量が、導電ペーストの固形分総量中に固形分で０．１〜３０質量％であることを特徴とする、請求項１〜５のいずれか一項に記載の導電ペーストの製造方法。
【請求項７】
導電カーボン（Ｂ）が、アセチレンブラック、ケッチェンブラック、ファーネスブラック、炭素繊維、カーボンナノチューブ、グラフェン、グラファイト（黒鉛）からなる群より選ばれる少なくとも１種であることを特徴とする、請求項１〜６のいずれか一項に記載の導電ペーストの製造方法。
【請求項８】
導電カーボン（Ｂ）が、アセチレンブラックであることを特徴とする、請求項１〜７のいずれか一項に記載の導電ペーストの製造方法。
【請求項９】
溶媒（Ｃ）が、Ｎ−メチル−２−ピロリドンを含有することを特徴とする、請求項１〜８のいずれか一項に記載の導電ペーストの製造方法。
【請求項１０】
水分含有量が、１．０％未満であることを特徴とする、請求項１〜９のいずれか一項に記載の導電ペーストの製造方法。
【請求項１１】
分散樹脂（Ａ）を５０℃以上に加温した溶媒（Ｃ）に溶解する第一工程と、得られた分散樹脂（Ａ）及び溶媒（Ｃ）を含む混合溶液に導電カーボン（Ｂ）を加え混合する第二工程を含む、請求項１〜１０のいずれか一項に記載の導電ペーストの製造方法。
【請求項１２】
前記第二工程の後に、分散機を用いて分散する工程を有する、請求項１１に記載の導電ペーストの製造方法。
【請求項１３】
前記第二工程又は前記分散機を用いて分散する工程の後に、更にバインダー（Ｄ）を加えて混合する工程を有する、請求項１１又は１２に記載の導電ペーストの製造方法。
【請求項１４】
請求項１〜１３のいずれか一項に記載の導電ペーストの製造方法を含む、塗工材の製造方法。
【請求項１５】
請求項１４に記載の製造方法で得られる塗工材を塗装して塗工物品を得る、塗工物品の製造方法。
【発明の詳細な説明】
【技術分野】
【０００１】
本発明は、分散性、貯蔵安定性、及び導電性に優れる導電ペーストの製造方法に関する。
【背景技術】
【０００２】
カーボン等の導電顔料は、塗料、塗工材、コーティング材、フィルム、シート、インキ、磁石改質材、各種電子機器部材、電池用電極材等に広く用いられている。このような導電顔料を含む導電性材料を形成する際、生産プロセス効率化又は導電性向上のためには、導電顔料を溶媒中に、いかに高濃度かつ均一に分散して、容易に塗布可能とするかが重要である。
【０００３】
近年、特に環境や生産コストへの配慮又は性能向上の観点から、従来よりも高固形分濃度かつ均一に分散された導電ペーストを作製することによって、溶媒及び分散剤の使用量を低減することや乾燥時の使用エネルギーを低減することが求められている。これらの要求は、溶媒及び分散剤のコストや乾燥時の使用エネルギーに大きな影響があることから、使用する溶媒及び分散剤が高価であるほど、又は、使用する溶媒が高沸点であるほど重要になる。
【０００４】
多量の導電顔料を溶媒中に分散するためには、導電顔料の表面に分散剤を吸着及び安定化させることが有効な方法であり、様々な分散剤を用いた分散液が提案されている。
【０００５】
例えば、特許文献１には、カーボンブラック、Ｎ−メチル−２−ピロリドン、ポリフッ化ビニリデン系ポリマー及び分散剤を含んでなる電池用カーボンブラック分散液の製造方法が開示されている。また、特許文献２には、導電材、エチレン−ビニルアルコール系重合体、及びピロリドン系溶媒を含む電気化学素子用導電材分散液が開示されている。また、特許文献３には、カーボンブラックと、分散剤としてのポリビニルアルコール樹脂と、溶剤としてのＮ−メチル−２−ピロリドンとを含んでなるカーボンブラック分散液が開示されている。
【０００６】
しかしながら、高固形分濃度の導電ペーストを作製する場合、これらの導電ペーストでは、分散性及び貯蔵安定性の確保のために大量の分散剤が必要となり、電極中の抵抗が増大するという課題があった。また、電極中の抵抗を抑えるために少量の分散剤で分散を行うと、導電ペーストが高粘度化するため、分散設備への負荷が増大し、場合によっては過負荷により分散機が停止してしまうといった課題があった。
【先行技術文献】
【特許文献】
【０００７】
【特許文献１】特開２０１７−１３５０６２号公報
【特許文献２】特開２０１６−２１３９１号公報
【特許文献３】特開２０１４−１９３９９６号公報
【発明の概要】
【発明が解決しようとする課題】
【０００８】
本発明が解決しようとする課題は、少ない分散樹脂の添加量で高固形分濃度であるにもかかわらず、分散性、貯蔵安定性、及び導電性に優れた導電ペースト、塗工材、及び塗工物品の製造方法を提供することである。
【課題を解決するための手段】
【０００９】
発明者等は、上記課題を解決するために鋭意検討した結果、分散樹脂を特定の温度以上に加温した溶媒に溶解することによって、前記課題の解決が達成できることを見出し、本発明を完成するに至った。即ち、本発明は、以下の導電ペースト、塗工材、及び塗工物品の製造方法を提供するものである。
項１．分散樹脂（Ａ）、導電カーボン（Ｂ）、及び溶媒（Ｃ）を含有する導電ペーストの製造方法であって、分散樹脂（Ａ）を５０℃以上に加温した溶媒（Ｃ）に溶解することを特徴とする導電ペーストの製造方法。
項２．加温した溶媒（Ｃ）の温度が、５０℃以上、かつ２００℃未満であることを特徴とする、前記項１に記載の導電ペーストの製造方法。
項３．分散樹脂（Ａ）がポリビニルアルコール樹脂（ａ１）及び／又は変性ポリビニルアルコール樹脂（ａ２）を含有する前記項１又は２に記載の導電ペーストの製造方法。
項４．ポリビニルアルコール樹脂（ａ１）及び／又は変性ポリビニルアルコール樹脂（ａ２）のけん化度が８５ｍｏｌ％以上１００ｍｏｌ％未満であることを特徴とする、前記項３に記載の導電ペーストの製造方法。
項５．分散樹脂（Ａ）を加温した溶媒（Ｃ）に溶解するときの分散樹脂（Ａ）の含有量が、分散樹脂（Ａ）及び溶媒（Ｃ）の合計量を基準として、固形分で０．０１〜１０質量％であることを特徴とする、前記項１〜４のいずれか一項に記載の導電ペーストの製造方法。
項６．分散樹脂（Ａ）の含有量が、導電ペーストの固形分総量中に固形分で０．１〜３０質量％であることを特徴とする、前記項１〜５のいずれか一項に記載の導電ペーストの製造方法。
項７．導電カーボン（Ｂ）が、アセチレンブラック、ケッチェンブラック、ファーネスブラック、炭素繊維、カーボンナノチューブ、グラフェン、グラファイト（黒鉛）からなる群より選ばれる少なくとも１種であることを特徴とする、前記項１〜６のいずれか一項に記載の導電ペーストの製造方法。
項８．導電カーボン（Ｂ）が、アセチレンブラックであることを特徴とする、前記項１〜７のいずれか一項に記載の導電ペーストの製造方法。
項９．溶媒（Ｃ）が、Ｎ−メチル−２−ピロリドンを含有することを特徴とする、前記項１〜８のいずれか一項に記載の導電ペーストの製造方法。
項１０．水分含有量が、１．０％未満であることを特徴とする、前記項１〜９のいずれか一項に記載の導電ペーストの製造方法。
項１１．分散樹脂（Ａ）を５０℃以上に加温した溶媒（Ｃ）に溶解する第一工程と、得られた分散樹脂（Ａ）及び溶媒（Ｃ）を含む混合溶液に導電カーボン（Ｂ）を加え混合する第二工程を含む、前記項１〜１０のいずれか一項に記載の導電ペーストの製造方法。
項１２．前記第二工程の後に、分散機を用いて分散する工程を有する、項１１に記載の導電ペーストの製造方法。
項１３．前記第二工程又は前記分散機を用いて分散する工程の後に、更にバインダー（Ｄ）を加えて混合する工程を有する、項１１又は１２に記載の導電ペーストの製造方法。
項１４．前記項１〜１３のいずれか一項に記載の導電ペーストの製造方法を含む、塗工材の製造方法。
項１５．前記項１４に記載の製造方法で得られる塗工材を塗装して塗工物品を得る、塗工物品の製造方法。
【発明の効果】
【００１０】
本発明の製造方法によれば、少ない分散剤添加量で高固形分濃度であるにもかかわらず、分散性、貯蔵安定性、及び導電性に優れた導電ペースト、塗工材、及び塗工物品を提供できる。
【発明を実施するための形態】
【００１１】
本明細書において、「樹脂がその原料となるモノマーＸを含有する」とは、相反する内容を別途明記しない限り、上記樹脂が、上記モノマーＸを含む原料モノマーの（共）重合体であることを意味する。また、本明細書において、（共）重合体とは重合体又は共重合体を意味する。
【００１２】
なお、本明細書において、「（メタ）アクリレート」は、アクリレート及び／又はメタクリレートを意味し、「（メタ）アクリル酸」は、アクリル酸及び／又はメタクリル酸を意味する。また、「（メタ）アクリロイル」は、アクリロイル及び／又はメタクリロイルを意味する。また、「（メタ）アクリルアミド」は、アクリルアミド及び／又はメタクリルアミドを意味する。
【００１３】
本発明は、分散樹脂（Ａ）、導電カーボン（Ｂ）、及び溶媒（Ｃ）を含有する導電ペーストの製造方法において、分散樹脂（Ａ）を５０℃以上に加温した溶媒（Ｃ）に溶解することを特徴とする導電ペーストの製造方法である。
尚、本発明の製造方法においては、「分散樹脂（Ａ）を５０℃以上に加温した溶媒（Ｃ）に溶解する。」と規定しているが、「分散樹脂（Ａ）と溶媒（Ｃ）を混合した後に、混合液を５０℃以上に加温して溶解する。」の方法に関しても含まれるものとする。
【００１４】
溶媒（Ｃ）の加温温度としては、通常５０℃以上であり、５０℃以上かつ２００℃未満が好ましく、７０℃以上かつ１７０℃未満がより好ましく、９０℃以上かつ１４０℃未満がさらに好ましく、１００℃以上かつ１３０℃未満が特に好ましい。
特に加温温度の上限については、製造面の観点から溶媒（Ｃ）の沸点以下であることが好ましい。また、溶媒（Ｃ）が複数種類混合されている場合の加温温度の上限については、溶媒（Ｃ）中に少なくとも１０％混合している溶媒の中の最低沸点以下であることが好ましい。
溶媒の温度が高すぎる場合（例えば、２００℃以上）、エネルギーコスト増、溶媒蒸発による環境悪化、樹脂の変質（例えば、ポリビニルアルコール樹脂の加水分解）等の問題があるため好ましくない。
また、分散樹脂（Ａ）を加温した溶媒（Ｃ）に溶解するときの分散樹脂（Ａ）の含有量としては、分散樹脂（Ａ）及び溶媒（Ｃ）の合計量を基準として、固形分で、通常０．０１〜１０質量％であり、０．１〜５質量％であることが溶解性と粘性等の観点から好適である。
【００１５】
本発明における導電ペーストの製造は、分散性及び貯蔵安定性の観点から、加温した溶媒（Ｃ）と分散樹脂（Ａ）を溶解する第一工程と、得られた混合溶液と導電カーボン（Ｂ）を混合する第二工程からなることが好ましい。
【００１６】
分散性及び貯蔵安定性の観点から、上記第二工程の後、分散機を用いて分散する第三工程を有することが好ましい。分散機としては、特に制限はなく、例えば、ペイントシェーカー、サンドミル、ボールミル、ペブルミル、ＬＭＺミル、ＤＣＰパールミル、遊星ボールミル、ホモジナイザー、二軸混練機（プラネタリーミキサー等）、薄膜旋回型高速ミキサー（フィルミックス、クレアミックス等）等の従来公知の分散機を用いることができる。
【００１７】
分散樹脂（Ａ）、導電カーボン（Ｂ）、及び溶媒（Ｃ）以外の成分としてバインダー（Ｄ）を加える場合、上記第一工程、第二工程、又は第三工程の後に添加し、混合することができる。
【００１８】
＜１．分散樹脂（Ａ）＞
本発明において、分散樹脂（Ａ）としては、例えば５０〜２００℃程度の温度で変質せず、導電ペーストの分散性を向上させる樹脂であるならば、特に制限なく用いることができる。具体的には、例えば、アクリル樹脂、ポリエステル樹脂、エポキシ樹脂、ポリエーテル樹脂、アルキド樹脂、ウレタン樹脂、シリコーン樹脂、ポリカーボネート樹脂、シリケート樹脂、塩素系樹脂、フッ素系樹脂、ポリビニルピロリドン樹脂、ポリビニルアルコール樹脂、ポリビニルアセタール樹脂、及びこれらの複合樹脂等が挙げられ、これらの樹脂は１種を単独で又は２種以上を併用して用いることができる。また、分散性及び粘度の観点から、分散樹脂（Ａ）は非架橋の樹脂であることが好ましい。
なかでも、分散性及び貯蔵安定性の観点から、ポリビニルアルコール樹脂（ａ１）及び／又は変性ポリビニルアルコール樹脂（ａ２）を用いることが好ましい。
【００１９】
ポリビニルアルコール樹脂（ａ１）は、酢酸ビニル等の脂肪酸ビニルエステルを重合し、得られる重合体を更にけん化することで得られる。
【００２０】
変性ポリビニルアルコール樹脂（ａ２）は、以下の方法によって製造することができる。
（１）酢酸ビニル等の脂肪酸ビニルエステルと、それ以外の重合性不飽和基含有モノマーとを共重合し、得られる重合体を更にけん化する方法。
（２）ポリビニルアルコールに重合性不飽和基含有モノマーをマイケル付加させる方法。
（３）アルデヒド化合物でポリビニルアルコールをアセタール化する方法。
（４）アルコール、アルデヒド及びチオール等の官能基を有する化合物を連鎖移動剤として共存させ、ポリビニルアルコールの重合をする方法。
【００２１】
変性ポリビニルアルコール樹脂（ａ２）は、エステル基、アミド基、イミド基、エーテル基、水酸基、カルボキシル基、スルホン酸基、リン酸基、シラノール基、アミノ基のうち少なくとも１種の官能基を有する側鎖を含有することが好ましい。
【００２２】
ポリビニルアルコール樹脂（ａ１）及び変性ポリビニルアルコール樹脂（ａ２）は、分散性及び貯蔵安定性の観点から、高けん化度（高極性）であることが好ましい。具体的には、けん化度が８５ｍｏｌ％以上１００ｍｏｌ％未満であることが好ましく、９０ｍｏｌ％以上１００ｍｏｌ％未満であることがより好ましく、９５ｍｏｌ％以上１００ｍｏｌ％未満であることがさらに好ましく、９６ｍｏｌ％以上１００ｍｏｌ％未満であることが特に好ましい。
【００２３】
ポリビニルアルコール樹脂（ａ１）及び変性ポリビニルアルコール樹脂（ａ２）は、分散性及び貯蔵安定性の観点から、平均重合度が５０〜３，０００であることが好ましく、１００〜２，０００であることがより好ましく、１００〜１，５００であることがさらに好ましい。
【００２４】
分散樹脂（Ａ）は、高極性であるほど導電カーボン（Ｂ）への吸着性が向上する傾向があり、なかでもポリビニルアルコール樹脂（ａ１）及び変性ポリビニルアルコール樹脂（ａ２）はけん化度が高いほど導電カーボン（Ｂ）への吸着性が良好となる。しかし、一方で高極性の分散樹脂は溶媒（Ｃ）への溶解性が低下する。
分散樹脂（Ａ）の溶媒（Ｃ）への溶解性を向上させるためには、前述した通り、混合時に溶媒（Ｃ）を加温して分散樹脂（Ａ）を溶解することが好適である。
【００２５】
＜２．導電カーボン（Ｂ）＞
本発明において、導電カーボン（Ｂ）としては、例えば、アセチレンブラック、ケッチェンブラック、ファーネスブラック、サーマルブラック、チャネルブラック、バルカン、炭素繊維、カーボンナノチューブ、グラフェン、気相成長カーボンファイバー（ＶＧＣＦ）、グラファイト（黒鉛）等が挙げられる。好ましくは、アセチレンブラック、ケッチェンブラック、ファーネスブラック、炭素繊維、カーボンナノチューブ、グラフェン、グラファイト（黒鉛）等が挙げられ、より好ましくはアセチレンブラック等が挙げられる。これらの導電カーボンは、１種を単独で、又は２種以上を混合して用いることができる。なかでも、アセチレンブラックと共に、カーボンナノチューブ、グラフェン、グラファイト（黒鉛）の少なくとも１種を併用して用いることが導電性等の観点から好適である。
なお、上記グラファイト（黒鉛）としては、例えば、天然黒鉛や人造黒鉛等を好適に使用することができる。
天然黒鉛としては、鱗片状黒鉛、塊状黒鉛、土状黒鉛等を使用することができる。また、鱗片状黒鉛を化学処理等した膨張黒鉛（膨張性黒鉛ともいう）や、膨張黒鉛を熱処理して膨張化させた後、微細化やプレスにより得られた膨張化黒鉛等を使用することもできる。
人造黒鉛としては、無定形炭素の熱処理により不規則な配列の微小黒鉛結晶の配向を人工的に行わせたものであり、一般的には石油コークスや石炭系ピッチコークスを主原料として製造される。
【００２６】
導電カーボン（Ｂ）の表面は、導電性、分散性及び貯蔵安定性の観点から、電気的に中性〜陰性が好ましい。具体的には、水に分散させたとき、ｐＨの範囲が５〜１０になるような導電カーボンが好ましい。
【００２７】
導電カーボン（Ｂ）の比表面積は、導電性及び分散性の観点から、５ｍ２／ｇ以上１０００ｍ２／ｇ未満が好ましく、５ｍ２／ｇ以上５００ｍ２／ｇ未満がより好ましく、１０ｍ２／ｇ以上１５０ｍ２／ｇ未満が特に好ましい。
【００２８】
導電カーボン（Ｂ）の一次粒子径は、導電性及び分散性の観点から、５ｎｍ以上１００００ｎｍ以下が好ましく、５ｎｍ以上５０００ｎｍ以下がより好ましく、１０ｎｍ以上１００ｎｍ以下が好ましい。
また、一次粒子径が５ｎｍ以上３００ｎｍ以下、好ましくは１０ｎｍ以上１００ｎｍ以下の導電カーボンの少なくとも１種と、一次粒子径が１０００ｎｍ以上１００００ｎｍ以下の導電カーボン又は一次粒子径が１０ｎｍ以上１００ｎｍ以下で平均長さが１０００ｎｍ以上１００００ｎｍ以下の導電カーボンの少なくとも１種とを併用してもよい。本発明の一次粒子径、平均長さは、電子顕微鏡で測定された算術平均粒子径、算術平均長さをそれぞれ示す。
【００２９】
＜３．溶媒（Ｃ）＞
本発明において、溶媒（Ｃ）としては、特に制限はなく、例えば、ｎ−ブタン、ｎ−ヘキサン、ｎ−ヘプタン、ｎ−オクタン、シクロペンタン、シクロヘキサン、シクロブタン等の炭化水素溶剤；トルエン、キシレン等の芳香族系溶剤；メチルイソブチルケトン等のケトン系溶剤；ｎ−ブチルエーテル、ジオキサン、エチレングリコールモノメチルエーテル、エチレングリコールモノエチルエーテル、エチレングリコールモノエチルエーテル、エチレングリコールモノブチルエーテル、ジエチレングリコール等のエーテル系溶剤；酢酸エチル、酢酸ｎ−ブチル、酢酸イソブチル、エチレングリコールモノメチルエーテルアセテート、ブチルカルビトールアセテート等のエステル系溶剤；メチルエチルケトン、メチルイソブチルケトン、ジイソブチルケトン等のケトン系溶剤；エタノール、イソプロパノール、ｎ−ブタノール、ｓｅｃ−ブタノール、イソブタノール等のアルコール系溶剤；エクアミド（製品名、出光興産社製、アミド系溶剤）、Ｎ，Ｎ−ジメチルホルムアミド、Ｎ，Ｎ−ジメチルアセトアミド、Ｎ−メチルホルムアミド、Ｎ−メチルアセトアミド、Ｎ−メチルプロピオアミド、Ｎ−メチル−２−ピロリドン、Ｎ−エチル−２−ピロリドン等のアミド系溶剤等、従来公知の溶剤を挙げることができる。本発明の製造方法は、加温した溶媒（Ｃ）に分散樹脂（Ａ）を溶解するため、好ましい溶媒（Ｃ）の具体例としては、例えば、Ｎ−メチル−２−ピロリドン、Ｎ−エチル−２−ピロリドン等の高沸点溶媒が挙げられ、より好ましくはＮ−メチル−２−ピロリドン等が挙げられる。これらの溶媒は、１種を単独で、又は２種以上を混合して用いることができる。尚、溶媒（Ｃ）としては、後述する理由により、水を含有しない事が好ましい。
【００３０】
＜４．その他の成分＞
本発明の製造方法によって得られる導電ペーストには、上記成分（Ａ）、（Ｂ）、及び（Ｃ）以外の成分（その他の添加剤と示すこともある）を配合してもよい。その他の添加剤としては、例えば、中和剤、顔料分散剤、消泡剤、防腐剤、防錆剤、可塑剤、バインダー（結着剤）等を挙げることができ、なかでも、少なくとも１種のバインダー（Ｄ）が好ましい。
【００３１】
バインダー（Ｄ）としては、例えば、アクリル樹脂、ポリエステル樹脂、エポキシ樹脂、ポリエーテル樹脂、アルキド樹脂、ウレタン樹脂、シリコーン樹脂、ポリカーボネート樹脂、シリケート樹脂、塩素系樹脂、フッ素系樹脂、ポリビニルピロリドン樹脂、ポリビニルアルコール樹脂、ポリビニルアセタール樹脂、及びこれらの複合樹脂等が挙げられる。また、分散性及び粘度の観点から、バインダー（Ｄ）は非架橋の樹脂であることが好ましい。
これらの樹脂は１種を単独で又は２種以上を併用して用いることができ、なかでも、ポリフッ化ビニリデン（ＰＶＤＦ）を用いることが好ましい。
【００３２】
＜５．導電ペースト＞
本発明において、導電ペースト固形分中の分散樹脂（Ａ）の固形分含有量は、通常、０．１〜３０質量％、好ましくは０．２〜２０質量％、より好ましくは０．５〜１５質量％、さらに好ましくは１．０〜１０質量％であることが、顔料分散時の粘度、顔料分散性、分散安定性、生産効率、及び導電性の観点から好適である。
【００３３】
本発明において、導電ペースト固形分中の導電カーボン（Ｂ）の固形分含有量は、通常、５０質量％以上、かつ１００質量％未満、好ましくは６０質量％以上、かつ１００質量％未満、より好ましくは７０質量％以上、かつ１００質量％未満が電池性能の点から好適である。
【００３４】
本発明において、導電ペースト中の溶媒（Ｃ）の含有量は、通常、５０質量％以上かつ１００質量％未満、好ましくは７０質量％以上かつ１００質量％未満、より好ましくは８０質量％以上かつ１００質量％未満、さらに好ましく８０質量％以上かつ９０質量％未満が乾燥効率、ペースト粘度の点から好適である。
【００３５】
本発明において、導電ペーストは、ペーストの総量を基準として、水分含有量が１．０質量％未満であることが好ましく、０．７質量％未満であることがより好ましく、０．５質量％未満であることがさらに好ましい。本発明において、導電ペーストの水分含有量は、カールフィッシャー電量滴定法にて測定する。具体的には、カールフィッシャー水分率計（製品名：ＭＫＣ−６１０、京都電子工業社製）を用い、該装置に備えられた水分気化装置（製品名：ＡＤＰ−６１１、京都電子工業社製）の設定温度は１３０℃として測定することができる。バインダー（Ｄ）にポリフッ化ビニリデンを用い、かつ導電ペースト中の水分量が一定量以上ある場合、高分子量化（ゲル化）を促進することがあるため、できるだけ水分を除くことが好ましい。
また、既知の脱水剤を添加して、水分をできる限り除くことができる。
本発明で得られる導電ペーストは、実質的に非水系の導電ペーストといえる。
【００３６】
＜６．塗工材及び電極用組成物＞
本発明の製造方法によって得られる導電ペーストは、例えば、塗工材（塗工膜、塗工物品）や電極用組成物（電極層、電池）として用いることができる。
【００３７】
塗工材としては、具体的には、例えば、印刷配線板や電子部品等の配線層（導電層）、電気（導電）回路の形成、導電接着剤、導電シート材料、導電塗料（導電塗膜、導電シート）等が挙げられ、いずれの用途でも好適に用いることができる。
【００３８】
電極用組成物としては、本発明の製造方法によって得られた導電ペーストと電極活物質とを混和して製造することができる組成物であり、具体的には、例えば、非水電解質二次電池用電極組成物、水系電解質二次電池用電極組成物、固体電解質二次電池用電極組成物等が挙げられ、正極及び／又は負極用の電極組成物として好適に用いることができる。なかでも、非水電解質二次電池正極組成物として好適に用いることができる。
【００３９】
＜６−１．塗工材＞
本発明において、塗工材は、上記導電ペーストに含まれる分散樹脂（Ａ）、導電カーボン（Ｂ）、及び溶媒（Ｃ）を必須成分とするものであって、さらに必要に応じて、樹脂、顔料、溶媒、添加剤等を含有することができる。
【００４０】
樹脂としては、例えば、アクリル樹脂、ポリエステル樹脂、エポキシ樹脂、ポリエーテル樹脂、アルキド樹脂、ウレタン樹脂、シリコーン樹脂、ポリカーボネート樹脂、シリケート樹脂、塩素系樹脂、フッ素系樹脂、ポリビニルピロリドン樹脂、ポリビニルアルコール樹脂、ポリビニルアセタール樹脂、及びこれらの複合樹脂等が挙げられる。これらの樹脂は１種を単独で又は２種以上を併用して用いることができる。
【００４１】
顔料としては、例えば、着色顔料、光輝性顔料、体質顔料、防錆顔料等が挙げられる。これらの顔料は１種を単独で又は２種以上を併用して用いることができる。
【００４２】
溶媒としては、特に制限はないが、前述した溶媒（Ｃ）と同様の溶媒を好適に用いることができる。上記溶媒は１種を単独で又は２種以上を併用して用いることができる。
【００４３】
添加剤としては、中和剤、顔料分散剤、消泡剤、防腐剤、防錆剤、可塑剤、粘性調整剤等が挙げられる。
【００４４】
塗工材中の分散樹脂（Ａ）の含有量は、塗工材中の固形分を基準として、通常０．０５〜８０質量％、好ましくは０．１〜６０質量％、より好ましくは０．２〜５０質量％、特に好ましくは０．５〜４０質量％であることが、粘度、分散性、貯蔵安定性、及び生産効率等の面から好ましい。
【００４５】
塗工材は、以上に述べた各成分を、例えば、ディスパー、ペイントシェーカー、サンドミル、ボールミル、ペブルミル、ＬＭＺミル、ＤＣＰパールミル、遊星ボールミル、ホモジナイザー、二軸混練機（プラネタリーミキサー等）、薄膜旋回型高速ミキサー（フィルミックス、クレアミックス等）等の従来公知の撹拌機又は分散機を用いて均一に混合又は分散させることにより調製することができる。
【００４６】
前述の塗工材を被塗物に塗布することで導電性の塗工膜が形成され、塗工物品が得られる。
【００４７】
本発明において、塗工膜とは、液状の塗工材を被塗物に塗布して加熱乾燥した固形状の膜のことであり、被塗物から剥がしてフィルムとして用いることもできる。
【００４８】
被塗物は特に限定されるものではなく、例えば、金属材；各種プラスチック材；ガラス、セメント、コンクリート等の無機材料；木材；繊維材料（紙、布等）等を挙げることができ、これらの複合材料であってもよい。また、これらの被塗物は、必要に応じて適宜、脱脂処理、表面処理等することができる。
【００４９】
塗布方法としては、一定の膜厚範囲内で塗布できるものであれば特に限定されず、例えば、ローラー塗装、刷毛塗装、霧化塗装、ディッピング塗装、アプリケーター塗装、シヤワーコート塗装、ロールコーター塗装、ダイコーター塗装等が挙げられる。
膜厚としては、乾燥膜厚で１〜２００μｍが好ましく、２〜１５０μｍがより好ましい。
乾燥温度としては、８０〜２００℃の温度が好ましい。
乾燥時間としては、１秒〜３０分が好ましい。
【００５０】
加熱乾燥することにより、塗工材に含まれる溶媒の８０％以上を消失することが好ましく、９０％以上を消失することがより好ましく、９５％以上を消失することが特に好ましい。
【００５１】
＜６−２．電極用組成物＞
本発明の製造方法で作製される導電ペーストは、さらに活物質を配合することで電極用組成物を製造することができ、なかでも、非水電解質二次電池正極組成物を好適に製造することができる。非水電解質二次電池正極組成物の用途としては、非水電解質二次電池の正極層、或いはプライマー層の形成等が挙げられる。
【００５２】
正極の活物質としては、例えば、ニッケル酸リチウム（ＬｉＮｉＯ２）、マンガン酸リチウム（ＬｉＭｎ２Ｏ４）、コバルト酸リチウム（ＬｉＣｏＯ２）、ＬｉＮｉ１／３Ｃｏ１／３Ｍｎ１／３Ｏ２等のリチウム複合酸化物等が挙げられる。これらの電極活物質は、１種を単独で、又は２種以上を混合して用いることができる。
上記非水電解質二次電池正極組成物固形分中の正極活物質の固形分含有量は、通常７０質量％以上かつ１００質量％未満、好ましくは８０質量％以上かつ１００質量％未満、特に好ましくは９０質量％以上１００質量％未満であることが、電池容量、電池抵抗等の面から好適である。
【００５３】
上述の非水電解質二次電池正極組成物は、イオン伝導性の観点から、フッ素含有高分子バインダーを含有することが好ましい。フッ素含有高分子バインダーとしては、具体的には、例えば、ポリフッ化ビニリデン（ＰＶＤＦ）、フッ化ビニリデンとヘキサフルオロプロピレンの共重合体（ＰＶＤＦ−ＨＦＰ）、ポリテトラフルオロエチレン（ＰＴＦＥ）等が挙げられ、特にポリフッ化ビニリデン（ＰＶＤＦ）が好ましい。
【００５４】
上述の非水電解質二次電池正極組成物は、前記導電ペーストをまず調製し、当該導電ペーストに正極活物質を配合することにより得ることができる。
【００５５】
上述の非水電解質二次電池正極組成物固形分中の分散樹脂（Ａ）の固形分含有量は、通常０．００１〜２０質量％、好ましくは０．００５〜１０質量％であることが、電池性能、粘度等の面から好適である。
【００５６】
上述の非水電解質二次電池正極組成物固形分中の導電カーボン（Ｂ）の固形分含有量は、通常、０．０１〜３０質量％、好ましくは０．０５〜２０質量％、より好ましくは０．１〜１５質量％が電池性能の点から好適である。
【００５７】
上述の非水電解質二次電池正極組成物中の溶媒（Ｃ）の含有量は、通常、０．１〜６０質量％、好ましくは０．５〜５０質量％、より好ましくは１〜４５質量％が電極乾燥効率、粘度の点から好適である。
【００５８】
上述の非水電解質二次電池正極組成物は、以上に述べた各成分を、例えば、ディスパー、ペイントシェーカー、サンドミル、ボールミル、ペブルミル、ＬＭＺミル、ＤＣＰパールミル、遊星ボールミル、ホモジナイザー、二軸混練機（プラネタリーミキサー等）、薄膜旋回型高速ミキサー（フィルミックス、クレアミックス等）等の従来公知の撹拌機又は分散機を用いて均一に混合又は分散させることにより調製することができる。
【００５９】
さらに前記非水電解質二次電池正極組成物を塗布し、これを乾燥することで非水電解質二次電池正極層を製造することができる。
【００６０】
非水電解質二次電池正極組成物の塗布は、ダイコーター等を用いたそれ自体公知の方法により行うことができる。非水電解質二次電池正極組成物の塗布量は特に限定されないが、例えば、乾燥後の正極合材層の厚みが０．０３〜０．３０ｍｍ、好ましくは０．０５〜０．２４ｍｍの範囲となるように設定することができる。乾燥工程の温度としては、例えば、７０〜２００℃、好ましくは１００〜１８０℃の範囲内で適宜設定することができる。乾燥工程の時間としては、例えば、５〜１２０秒、好ましくは５〜６０秒の範囲内で適宜設定することができる。
【００６１】
前記非水電解質二次電池正極組成物を塗布・乾燥して得られた非水電解質二次電池正極層は、プレスにより圧縮されてもよい。プレスすることで導電性が向上し、より性能の高い非水電解質二次電池が得られる。
【００６２】
前述の非水電解質二次電池正極層を用いることで、非水電解質二次電池を製造することができる。非水電解質二次電池の構成部位としては、正極以外に、負極、セパレータ、及び非水電解質等が挙げられ、これらは非水電解質二次電池の分野において公知のものを適宜使用することができる。また、非水電解質二次電池は、前述した非水電解質二次電池正極層又はその原料成分を用いる以外、公知の方法を適宜使用することにより製造することができる。
【実施例】
【００６３】
以下、製造例、実施例及び比較例により、本発明をさらに詳細に説明するが、本発明はこれに限定されるものではない。各例中の「部」は質量部、「％」は質量％を示す。
【００６４】
＜分散樹脂の製造＞
製造例１
温度計、環流冷却管、窒素ガス導入管及び撹拌機を備えた反応容器に、重合性モノマーとして酢酸ビニル１００部、溶媒としてメタノール、重合開始剤としてアゾビスイソブチロニトリルを用いて約６０度の温度で共重合反応を行った後、減圧下に未反応のモノマーを除去し、樹脂溶液を得た。次いで、水酸化ナトリウムのメタノール溶液を添加してケン化反応を行い、よく洗浄した後、熱風乾燥機で乾燥した。最終的に、重合度５００、ケン化度９８ｍｏｌ％のポリビニルアルコール樹脂である分散樹脂Ｎｏ．１を得た。
【００６５】
製造例２
温度計、環流冷却管、窒素ガス導入管及び撹拌機を備えた反応容器に、重合性モノマーとして酢酸ビニル１００部、溶媒としてメタノール、重合開始剤としてアゾビスイソブチロニトリルを用いて約６０度の温度で共重合反応を行った後、減圧下に未反応のモノマーを除去し、樹脂溶液を得た。次いで、水酸化ナトリウムのメタノール溶液を添加してケン化反応を行い、よく洗浄した後、熱風乾燥機で乾燥した。最終的に、重合度５００、ケン化度９０ｍｏｌ％のポリビニルアルコール樹脂である分散樹脂Ｎｏ．２を得た。
【００６６】
製造例３
温度計、環流冷却管、窒素ガス導入管及び撹拌機を備えた反応容器に、重合性モノマーとして酢酸ビニル１００部、溶媒としてメタノール、重合開始剤としてアゾビスイソブチロニトリルを用いて約６０度の温度で共重合反応を行った後、減圧下に未反応のモノマーを除去し、樹脂溶液を得た。次いで、水酸化ナトリウムのメタノール溶液を添加してケン化反応を行い、よく洗浄した後、熱風乾燥機で乾燥した。最終的に、重合度５００、ケン化度８５ｍｏｌ％のポリビニルアルコール樹脂である分散樹脂Ｎｏ．３を得た。
【００６７】
製造例４
温度計、環流冷却管、窒素ガス導入管及び撹拌機を備えた反応容器に、重合性モノマーとして酢酸ビニル７０部及びポリエチレングリコールメタクリレート（分子量２０００）３０部、溶媒としてメタノール、重合開始剤としてアゾビスイソブチロニトリルを用いて約６０度の温度で共重合反応を行った後、減圧下に未反応のモノマーを除去し、樹脂溶液を得た。次いで、水酸化ナトリウムのメタノール溶液を添加してケン化反応を行い、よく洗浄した後、熱風乾燥機で乾燥した。最終的に、重合度５００、ケン化度５０ｍｏｌ％、ポリエーテル基含有モノマー含有量３０％の変性ポリビニルアルコール樹脂である分散樹脂Ｎｏ．４を得た。
【００６８】
製造例５
温度計、環流冷却管、窒素ガス導入管及び撹拌機を備えた反応容器に、重合性モノマーとして酢酸ビニル９７部及びポリエチレングリコールメタクリレート（分子量２０００）３．０部、溶媒としてメタノール、重合開始剤としてアゾビスイソブチロニトリルを用いて約６０度の温度で共重合反応を行った後、減圧下に未反応のモノマーを除去し、樹脂溶液を得た。次いで、水酸化ナトリウムのメタノール溶液を添加してケン化反応を行い、よく洗浄した後、熱風乾燥機で乾燥した。最終的に、重合度５００、ケン化度９０ｍｏｌ％、ポリエーテル基含有モノマー含有量３．０％の変性ポリビニルアルコール樹脂である分散樹脂Ｎｏ．５を得た。
【００６９】
製造例６
温度計、環流冷却管、窒素ガス導入管及び撹拌機を備えた反応容器に、重合性モノマーとしてメタクリル酸２−ヒドロキシエチル９５部及びメタクリル酸５．０部、溶媒としてエチレングリコールモノブチルエーテル、重合開始剤としてアゾビスイソブチロニトリルを用いて約１１５度の温度で２時間共重合反応を行った後、減圧下に未反応のモノマー及びメタノールを除去し、Ｎ−メチル−２−ピロリドンを加えて固形分５０％のアクリル樹脂である分散樹脂Ｎｏ．６溶液を得た。
【００７０】
＜導電ペーストの製造＞
実施例１
製造例１で得られた分散樹脂Ｎｏ．１  ３０部（固形分３０部）を１２５℃に加温したＮ−メチル−２−ピロリドン８５００部に加えて混合し、分散樹脂Ｎｏ．１を完全に溶解させた。樹脂溶液にアセチレンブラック（※１）１２００部及びＫＦポリマーＷ＃７３００（製品名、クレハ社製、ポリフッ化ビニリデン）２２０部を加えて混合した後、ボールミルにて５時間分散し、導電ペースト（Ｘ−１）を得た。
【００７１】
実施例２〜２３、実施例２６〜３０、及び比較例１〜２
導電ペーストの配合及び溶媒（Ｃ）の加温温度を下記表１のとおりとする以外は、実施例１と同様にして、導電ペースト（Ｘ−２）〜（Ｘ−２３）、及び（Ｘ−２６）〜（Ｘ−３２）を製造した。尚、表中の樹脂配合量は固形分の値である。
【００７２】
実施例２４
製造例１で得られた分散樹脂Ｎｏ．１  ３０部（固形分３０部）を５０℃に加温したＮ−メチル−２−ピロリドン８５００部に加えて混合し、分散樹脂Ｎｏ．１を溶解させた。樹脂溶液にアセチレンブラック１２００部を加え、ボールミルにて５時間分散した。得られたペーストにＫＦポリマーＷ＃７３００  ２２０部を混合し、導電ペースト（Ｘ−２４）を得た。
【００７３】
実施例２５
製造例１で得られた分散樹脂Ｎｏ．１  ３０部（固形分３０部）、アセチレンブラック１２００部及びＫＦポリマーＷ＃７３００  ２２０部を１２５℃に加温したＮ−メチル−２−ピロリドン８５００部に加えて混合した後、ボールミルにて５時間分散し、導電ペースト（Ｘ−２５）を得た。
【００７４】
下記表１に、粘度、貯蔵性、及び導電性の評価試験結果（Ｓ、Ａ、Ｂ、Ｃ、Ｄ）を示す。また、３種類の評価結果の中の一番悪い評価を総合評価とした。
本発明においては全ての評価試験で合格することが必須であり、１種類でも不合格（Ｄ）があった場合、総合評価は不合格（Ｄ）となり、その導電ペーストは不合格となる。
【００７５】
【表１】
0006803491.tif 000002
【００７６】
（※１）アセチレンブラック（一次粒子径５０ｎｍ、比表面積３９ｍ２／ｇ、ｐＨ８．８）、
（※２）ケッチェンブラック（一次粒子径４０ｎｍ、比表面積８００ｍ２／ｇ、ｐＨ９．０）、
（※３）グラファイト（一次粒子径８０００ｎｍ、比表面積５ｍ２／ｇ）、
（※４）グラフェン（一次粒子径３０００ｎｍ、比表面積４０ｍ２／ｇ）、
（※５）カーボンナノチューブ（一次粒子径１０ｎｍ、平均長さ５０００ｎｍ、比表面積２６０ｍ２／ｇ）、
（※６）製造工程について
α：分散樹脂（Ａ）に加温した溶媒（Ｃ）を加えて溶解した。次いで該樹脂溶液に導電カーボン（Ｂ）及びバインダー（Ｄ）を添加して分散した。
β：分散樹脂（Ａ）に加温した溶媒（Ｃ）を加えて溶解した。次いで該樹脂溶液に導電カーボン（Ｂ）を添加して分散した後、バインダー（Ｄ）を添加して混合した。
γ：加温した溶媒（Ｃ）に分散樹脂（Ａ）、バインダー（Ｄ）、及び導電カーボン（Ｂ）を添加して混合した。次いで該混合液を分散した。
（※７）分散樹脂（Ａ）の溶解性について
Ｓ：５分間のディスパー撹拌後に分散樹脂が完全に溶解する。
Ａ：５分間のディスパー撹拌後に分散樹脂の一部が溶け残っているが、１時間のディスパー撹拌後に分散樹脂が完全に溶解する。
Ｂ：１時間のディスパー撹拌後に分散樹脂の一部が溶け残っているが、２４時間のディスパー撹拌後に分散樹脂が完全に溶解する。
Ｃ：２４時間のディスパー撹拌後に分散樹脂の一部が溶け残っている。
Ｄ：２４時間のディスパー撹拌後に分散樹脂がほぼ全て溶け残っている。
尚、製造工程αとβについては、樹脂溶液（分散樹脂と溶媒）の溶解性を確認できたが、製造工程γ（実施例２５）に関しては顔料が含有されているため溶解性の評価はできなかった。
【００７７】
上記実施例及び比較例で作製した導電ペースト（Ｘ−１）〜（Ｘ−３２）の水分含有量はいずれも０．８％未満であった。実施例及び比較例で得られた導電ペーストから非水電解質二次電池正極組成物を作製し、さらに非水電解質二次電池を作製したところ、導電ペースト（Ｘ−１）〜（Ｘ−３０）を用いて作製された非水電解質二次電池は、導電ペースト（Ｘ−３１）及び（Ｘ−３２）を用いたものに比べて電池性能が良好であった。
【００７８】
評価試験
＜粘度＞
実施例及び比較例で得られた導電ペーストをコーン＆プレート型粘度計「Ｍａｒｓ２」（製品名、ＨＡＡＫＥ社製）を用い、シアーレート１．０ｓｅｃ−１で粘度を測定し、下記基準により評価した。評価としては、Ｓ、Ａ、Ｂ、Ｃが合格で、Ｄが不合格である。
Ｓ：粘度が、１Ｐａ・ｓ未満である。
Ａ：粘度が、１Ｐａ・ｓ以上、かつ５Ｐａ・ｓ未満である。
Ｂ：粘度が、５Ｐａ・ｓ以上、かつ３０Ｐａ・ｓ未満である。
Ｃ：粘度が、３０Ｐａ・ｓ以上、かつ１００Ｐａ・ｓ未満である。
Ｄ：粘度が、１００Ｐａ・ｓ以上である。
【００７９】
＜貯蔵性＞
実施例及び比較例で得られた導電ペーストを２０℃の恒温室で１ヶ月貯蔵した後、コーン＆プレート型粘度計「Ｍａｒｓ２」（製品名、ＨＡＡＫＥ社製）を用い、シアーレート１．０ｓｅｃ−１で粘度を測定し、下記基準により評価した。評価としては、Ｓ、Ａ、Ｂ、Ｃが合格で、Ｄが不合格である。
Ｓ：粘度が、１Ｐａ・ｓ未満である。
Ａ：粘度が、１Ｐａ・ｓ以上、かつ５Ｐａ・ｓ未満である。
Ｂ：粘度が、５Ｐａ・ｓ以上、かつ３０Ｐａ・ｓ未満である。
Ｃ：粘度が、３０Ｐａ・ｓ以上、かつ１００Ｐａ・ｓ未満である。
Ｄ：粘度が、１００Ｐａ・ｓ以上である。
【００８０】
＜導電性＞
実施例及び比較例で得られた導電ペーストをドクターブレード法でガラス板（２ｍｍ×１００ｍｍ×１５０ｍｍ）へ塗工して、１４０℃で１５分加熱乾燥した。得られた厚さ２０μｍの乾燥塗膜について、四探針プローブ（三菱化学製、ＰＳＰ）を用いて、ソースメータ（ケースレー製、２４００）により抵抗を測定した。評価としては、Ｓ、Ａ、Ｂ、Ｃが合格で、Ｄが不合格である。
Ｓ：抵抗が、０．５Ω・ｃｍ未満であり、導電性は非常に良好である。
Ａ：抵抗が、０．５Ω・ｃｍ以上、かつ１Ω・ｃｍ未満であり、導電性は良好である。
Ｂ：抵抗が、１Ω・ｃｍ以上、かつ１．５Ω・ｃｍ未満であり、導電性はやや良好である。
Ｃ：抵抗が、１．５Ω・ｃｍ以上、かつ１０Ω・ｃｍ未満であり、導電性はやや劣る。
Ｄ：抵抗が、１０Ω・ｃｍ以上であり、導電性は非常に劣る。又は平滑性のある乾燥塗膜が作成できなかった。
【要約】
【課題】本発明が解決すべき課題としては、少ない分散樹脂の添加量で、高固形分濃度であるにもかかわらず、分散性、貯蔵安定性、及び導電性に優れた導電ペースト、塗工材、及び塗工物品の製造方法を提供すること。
【解決手段】分散樹脂（Ａ）、導電カーボン（Ｂ）、及び溶媒（Ｃ）を含有する導電ペーストの製造方法であって、分散樹脂（Ａ）を５０℃以上に加温した溶媒（Ｃ）に溶解することを特徴とする導電ペーストの製造方法。
【選択図】なし